(57)【要約】【課題】フレキシブルコンテナバッグなどの袋体を効率よく開袋して被処理物を好適に収容することを可能にする開袋装置を提供する。【解決手段】袋体１を開くための装置Ａであって、圧縮流体Ｒが供給されるとともに膨らみ、圧縮流体Ｒが排出されるとともに縮んで元の形状に戻る膨縮自在に形成され、袋体１の開袋時に、閉じた状態の袋体１の内部に挿入設置される膨縮体３と、膨縮体３に対して圧縮空気を給排する圧縮流体給排手段４とを備える。【選択図】図１
2018002167.tif 000002
【特許請求の範囲】
【請求項１】
袋体を開くための装置であって、
圧縮流体が供給されるとともに膨らみ、圧縮流体が排出されるとともに縮んで元の形状に戻る膨縮自在に形成され、袋体の開袋時に、閉じた状態の袋体の内部に挿入設置される膨縮体と、
前記膨縮体に対して圧縮空気を給排する圧縮流体給排手段とを備えることを特徴とする開袋装置。
【請求項２】
請求項１記載の開袋装置において、
前記袋体が放射性物質を含む被処理物を収容するものであることを特徴とする開袋装置。
【請求項３】
請求項１または請求項２に記載の開袋装置において、
袋体の開袋時に、前記閉じた状態の袋体と、該袋体の内部に挿入設置される前記膨縮体とが挿入設置される袋詰め用容器を備えることを特徴とする開袋装置。
【発明の詳細な説明】
【技術分野】
【０００１】
本発明は、被処理物を投入して収容するためにフレキシブルコンテナバッグなどの袋体を開袋する装置に関する。
【背景技術】
【０００２】
従来、建設分野などでは、各種廃棄物などの被処理物を収容する手段としてフレキシブルコンテナバッグなどの袋体が多用されている。そして、例えば、廃棄物を不燃物や可燃物に仕分けしながらそれぞれフレキシブルコンテナバッグに収容し、これら仕分けした廃棄物をフレキシブルコンテナバッグに収容した状態で処理場に運び、保管・処理するようにしている（例えば、特許文献１参照）。
【先行技術文献】
【特許文献】
【０００３】
【特許文献１】特開２０１３−１３０４０３号公報
【発明の概要】
【発明が解決しようとする課題】
【０００４】
ここで、例えば、放射性物質を含む廃棄物や、放射性物質で汚染された土砂や落葉・落枝、草木などの汚染物などの被処理物をフレキシブルコンテナバッグに詰めて封入する際には、被ばくしないように厳重に注意して作業することが必要になる。そして、このような放射性物質を含む被処理物を自動化して取り扱うことも考えられているが、畳んだ状態のフレキシブルコンテナバッグを開いてセットする開袋作業工程は人力で行うことが想定されている。
【０００５】
しかしながら、深い部分に手や治具等を差し入れて人力でフレキシブルコンテナバッグを広げる開袋作業は非常に手間や労力がかかり、また、自動化した大型装置内に開袋作業のためだけに人が立ち入ることになるため、特に放射性物質を含む被処理物を扱う場合などでは、やはり、フレキシブルコンテナバッグの開袋作業も自動化できるようにすることが強く望まれている。
【０００６】
本発明は、上記事情に鑑み、フレキシブルコンテナバッグなどの袋体を効率よく開袋して被処理物を好適に収容することを可能にする開袋装置を提供することを目的とする。
【課題を解決するための手段】
【０００７】
上記の目的を達するために、この発明は以下の手段を提供している。
【０００８】
本発明の開袋装置は、袋体を開くための装置であって、圧縮流体が供給されるとともに膨らみ、圧縮流体が排出されるとともに縮んで元の形状に戻る膨縮自在に形成され、袋体の開袋時に、閉じた状態の袋体の内部に挿入設置される膨縮体と、前記膨縮体に対して圧縮空気を給排する圧縮流体給排手段とを備えることを特徴とする。
【０００９】
また、本発明の開袋装置においては、前記袋体が放射性物質を含む被処理物を収容するものであることが望ましい。
【００１０】
さらに、本発明の開袋装置においては、袋体の開袋時に、前記閉じた状態の袋体と、該袋体の内部に挿入設置される前記膨縮体とが挿入設置される袋詰め用容器を備えることがより望ましい。
【発明の効果】
【００１１】
本発明の開袋装置においては、フレキシブルコンテナバッグなどの袋体の内部に挿入した膨縮体に圧縮流体給排手段から圧縮流体を送り込んで膨縮体を膨らますことにより、袋体を自動的に開くことができる。
【００１２】
よって、本発明の開袋装置によれば、フレキシブルコンテナバッグなどの袋体を効率よく開袋して被処理物を好適に収容することが可能になり、被処理物が放射性物質を含む土壌などである場合に作業員の被ばくを確実に防止することが可能になる。
【図面の簡単な説明】
【００１３】
【図１】本発明の一実施形態に係る開袋装置を示す図であり、袋詰め用容器内に袋体をセットするとともに袋体内に膨縮体を挿入した状態を示す図である。
【図２】膨縮体を膨らませ、袋体を開いた状態を示す図である。
【図３】膨縮体を再度縮め、袋体から引き抜く状態を示す図である。
【図４】膨縮体を引き抜いた袋体に被処理物を投入し、袋体を閉じた状態を示す図である。
【発明を実施するための形態】
【００１４】
以下、図１から図４を参照し、本発明の一実施形態に係る開袋装置について説明する。
【００１５】
ここで、本実施形態は、例えば、放射性廃棄物処理施設等において、放射性物質を含む廃棄物や土壌等の被処理物をフレキシブルコンテナバッグに投入して詰める際に用いて好適な開袋装置に関するものである。
【００１６】
はじめに、本実施形態のフレキシブルコンテナバッグは、可撓性を有するシート状部材を用いて形成され、非使用時には折り畳み可能で、使用時（被処理物の収容時）には内容量を大きくして多量の物を収容できる袋体として形成されている。また、このフレキシブルコンテナバッグは、例えば、有底円筒状、有底四角筒状に形成されている。
【００１７】
そして、本実施形態では、このようなフレキシブルコンテナバッグに、放射性物質を含む土砂などの被処理物を収容する。フレキシブルコンテナバッグにそれぞれ収容した被処理物は、例えば、フレキシブルコンテナバッグに収容した状態で所定の場所に搬送されて仮置き保管される。
【００１８】
一方、本実施形態では、フレキシブルコンテナバッグ（袋体）を開いて効率的に被処理物を投入して収容するために開袋装置を用いる。
【００１９】
本実施形態の開袋装置Ａは、図１から図４に示すように、フレキシブルコンテナバッグ（袋体）１が内部に入れられ、このフレキシブルコンテナバッグ１に被処理物を詰め込むために用いられる袋詰め用容器２と、圧縮空気（圧縮流体）が供給されるとともに所定の大きさに膨らみ、圧縮空気が排出されるとともに縮んで元の形状に戻る膨縮体３と、膨縮体に３対して圧縮空気を給排する圧縮流体給排手段４とを備えている。
【００２０】
圧縮流体給排手段４は、例えば、開閉弁と配管４ａ、コンプレッサー等を備えて構成されている。
【００２１】
また、本実施形態の開袋装置Ａにおいては、開袋装置Ａでフレキシブルコンテナバッグ１を開き、ベルトコンベアなどを用いてフレキシブルコンテナバッグ１に所定量の被処理物を投入して収容した段階で、紐を結んだり、蓋を閉じるなどしてフレキシブルコンテナバッグ１の上部の開口部を自動的に閉じるための閉袋操作手段（不図示）を備えている。
【００２２】
そして、上記構成からなる本実施形態の開袋装置Ａにおいては、開袋作業時に、図１に示すように、閉状態のフレキシブルコンテナバッグ１の内部に膨縮体３が差し込まれ、この状態でフレキシブルコンテナバッグ１が膨縮体３とともに袋詰め用容器２の内部に設置される。
【００２３】
なお、袋詰め用容器２の内部に閉状態のフレキシブルコンテナバッグ１を搬送設置した後に、閉状態のフレキシブルコンテナバッグ１の内部に膨縮体３を差し込むようにしてもよい。
【００２４】
次に、フレキシブルコンテナバッグ１の内部に膨縮体３を挿入して袋詰め用容器２に設置した段階で、図２に示すように、圧縮流体給排手段４から膨縮体３に圧縮空気Ｒが供給され、フレキシブルコンテナバッグ１の内部で膨縮体３が膨らむ。内部で膨縮体３が膨らむとともに、これに従いフレキシブルコンテナバッグ１が自動的に開く。また、本実施形態では、フレキシブルコンテナバッグ１が袋詰め用容器２の内面に押し付けられ、袋詰め容器２の形状に合わせるようにして開く。
【００２５】
そして、所定量の圧縮空気Ｒが供給された段階で、あるいは膨縮体３内の空気圧が所定圧に達した段階で、図３に示すように、圧縮流体給排手段４の弁を開放するなどして膨縮体３内の圧縮空気Ｒを排出させ、膨縮体３を自動的に縮める。
【００２６】
膨縮体３が縮んでもフレキシブルコンテナバッグ１はそのまま開いた状態で保持され、この状態のフレキシブルコンテナバッグ１の内部から膨縮体３が引き抜かれて元の初期位置に移動する。
【００２７】
開いた状態のフレキシブルコンテナバッグ１に対し、ベルトコンベアなどで被処理物が投入されて収容される。
【００２８】
さらに、フレキシブルコンテナバッグ１に所定量の被処理物が収容された段階で、図４に示すように、閉袋操作手段が紐を結んだり、蓋を閉じるなどし、フレキシブルコンテナバッグ１の上部の開口部を自動的に閉じて封止する。
【００２９】
したがって、本実施形態の開袋装置Ａにおいては、フレキシブルコンテナバッグ１内に挿入した膨縮体３に圧縮流体給排手段４から圧縮空気Ｒを送り込んで膨縮体３を膨らますことにより、袋詰め用容器２内でフレキシブルコンテナバッグ１を開くことができる。すなわち、フレキシブルコンテナバッグ１を自動的に、安全且つ短時間で開いて設置することができる。
【００３０】
よって、本実施形態の開袋装置Ａによれば、フレキシブルコンテナバッグ１を効率よく開袋して被処理物を好適に収容することが可能になり、被処理物が放射性物質を含む土壌などである場合に、作業員が被ばくするようなことを確実に防止することができる。
【００３１】
また、本実施形態の開袋装置Ａにおいては、開いたフレキシブルコンテナバッグ１に被処理物を投入して収容した段階で、閉袋操作手段によって自動的にフレキシブルコンテナバッグ１の蓋部を閉じたり、紐を結び、フレキシブルコンテナバッグ１を閉じて封止することができる。
【００３２】
以上、本発明に係る開袋装置の一実施形態について説明したが、本発明は上記の一実施形態に限定されるものではなく、その趣旨を逸脱しない範囲で適宜変更可能である。
【００３３】
例えば、本実施形態では、放射性物質を含むものが被処理物であるものとし、この被処理物を収容する袋体がフレキシブルコンテナバッグであるものとして説明を行ったが、本発明は、被処理物を放射性物質を含む汚染物に限定する必要がなく、あらゆる物を被処理物とすることができる。また、袋体においてもフレキシブルコンテナバッグ１に限定する必要がなく、あらゆる袋体を対象にすることができる。すなわち、本発明は、あらゆる被処理物、袋体に適用可能である。
【符号の説明】
【００３４】
１    フレキシブルコンテナバッグ（袋体）
２    袋詰め用容器
３    膨縮体
４    圧縮流体給排手段
４ａ  配管
Ａ    開袋装置
Ｒ    圧縮空気（圧縮流体）
【図１】
2018002167.tif 000003
【図２】
2018002167.tif 000004
【図３】
2018002167.tif 000005
【図４】
2018002167.tif 000006